(57)【要約】【課題】従来のサンプルホルダは、陳列フックに装着した状態において、商品サンプルの安定性が不充分であった。【解決手段】プライスカードの表示部５１を前端に有する上側ロッド５２と、商品Ｃを吊り下げる下側ロッド５３とを備えた陳列フックＨに装着して、商品サンプルＳ１を保持するサンプルホルダＡ１であって、表示部５１に装着する固定具１と、固定具１に一端部を回動自在に連結したリンク部材２と、リンク部材２の他端部に回動自在に連結して商品サンプルＳ１を保持する保持具３とを備え、固定具１に対するリンク部材２の回動軸Ｘ１と、リンク部材２に対する保持具３の回動軸Ｓ２とが互いに平行である構成にし、陳列フックＨにおいて、商品サンプルＳ１を安定して保持する。【選択図】図１
2020058595.tif 000002
【特許請求の範囲】
【請求項１】
プライスカードを差し込む表示部を前端に有する上側ロッドと、商品を吊り下げる下側ロッドとを上下に備えた陳列フックに装着して、陳列フックの前側で商品サンプルを保持するサンプルホルダであって、
上側ロッドの表示部に差し込んで装着する固定具と、
固定具に対して一端部を回動自在に連結したリンク部材と、
リンク部材の他端部を回動自在に連結して商品サンプルを保持する保持具とを備え、
固定具に対するリンク部材の回動軸と、リンク部材に対する保持具の回動軸とが互いに平行であることを特徴とするサンプルホルダ。
【請求項２】
上側ロッドの表示部に固定具を装着した状態において、下側ロッドの前端に保持具の背面が当接することを特徴とする請求項１に記載のサンプルホルダ。
【請求項３】
リンク部材が、透明な板材、又は少なくとも１本の棒材から成ることを特徴とする請求項１又は２に記載のサンプルホルダ。
【発明の詳細な説明】
【技術分野】
【０００１】
本発明は、商品を吊り下げて陳列するための陳列フックに用いられるサンプルホルダに関するものである。
【背景技術】
【０００２】
従来におけるサンプルホルダとしては、サンプル商品用ディスプレイの名称で特許文献１に記載されたものがある。特許文献１に記載のサンプル商品用ディスプレイは、陳列フックのプライス表示板への連結部と、連結部に連続する一対の垂下腕と、両垂下腕に連続するサンプル商品保持体とを平面的に一体化した構造である。サンプル商品保持体は、上方に開放された収容部分を有する。
【０００３】
そして、サンプル商品用ディスプレイは、連結部をプライス表示板に差し込み、垂下腕の上部を湾曲させてサンプル商品保持体を吊り下げた状態にし、サンプル商品保持体に商品サンプルを収容する。
【先行技術文献】
【特許文献】
【０００４】
【特許文献１】実用新案登録第３１５９０８０号公報
【発明の概要】
【発明が解決しようとする課題】
【０００５】
しかしながら、上記したような従来のサンプル商品用ディスプレイは、連結部、垂下腕及びサンプル商品保持体を平面的に一体化し、上部を湾曲させた状態で陳列フックに装着するものであるため、捩れやすく、商品サンプルの安定性が不充分であった。このため、従来のサンプル商品用ディスプレイは、陳列フックから商品を取り外したり、陳列フックに商品を補充したりする際に、商品サンプルが脱落する虞があるなどの問題点があり、このような問題点を解決することが課題であった。
【０００６】
本発明は、上記従来の課題に着目して成されたもので、陳列フックにおいて、商品サンプルを安定して保持することができるサンプルホルダを提供することを目的としている。
【課題を解決するための手段】
【０００７】
本発明に係わるサンプルホルダは、プライスカードを差し込む表示部を前端に有する上側ロッドと、商品を吊り下げる下側ロッドとを上下に備えた陳列フックに装着して、陳列フックの前側で商品サンプルを保持するものである。そして、サンプルホルダは、上側ロッドの表示部に差し込んで装着する固定具と、固定具に一端部を回動自在に連結したリンク部材と、リンク部材の他端部に回動自在に連結して商品サンプルを保持する保持具とを備え、固定具に対するリンク部材の回動軸と、リンク部材に対する保持具の回動軸とが互いに平行であることを特徴としている。
【発明の効果】
【０００８】
本発明に係わるサンプルホルダは、格子や壁等の構造体に取り付けた陳列フックに装着される。陳列フックは、上側ロッドの表示部に、プライスカードを差し込むと共に、下側ロッドに、複数の商品を吊り下げた状態にして陳列する。
【０００９】
サンプルホルダは、陳列フックにおける上側ロッドの表示部に対し、プライスカードの邪魔にならないように固定具を差し込み、リンク部材を介して保持具を吊り下げた状態にする。この際、サンプルホルダは、固定具に対するリンク部材の回動軸と、リンク部材に対する保持具の回動軸とが互いに平行であるから、リンク部材及び保持具の回動方向が同一方向であって、これらが捩れることもなく、保持具により商品サンプルを安定して保持する。また、上記のサンプルホルダは、陳列フックから商品を取り外したり、陳列フックに商品を補充したりする際に、保持具から商品サンプルが脱落しないように、保持具をほぼ水平にして昇降させることが可能である。
【００１０】
このようにして、本発明に係わるサンプルホルダは、陳列フックにおいて、商品サンプルを安定して保持することができる。
【図面の簡単な説明】
【００１１】
【図１】本発明に係わるサンプルホルダの第１実施形態を説明する側面図である。
【図２】図１に示すサンプルホルダの平面図（Ａ)、正面図（Ｂ）、及び側面図（Ｃ）である。
【図３】図１に示すサンプルホルダの固定具の正面図（Ａ）及び側面図（Ｂ）、並びにリンク部材の平面図（Ｃ）及び側面図（Ｄ）である。
【図４】図１に示すサンプルホルダの動作を説明する側面図である。
【図５】本発明に係わるサンプルホルダの第２実施形態における固定具を説明する図であって、固定具を構成する第１固定部材の正面図（Ａ）、側面図（Ｂ）、底面図（Ｃ）、固定具を構成する第２固定部材の正面図（Ｄ）、及び固定具の正面図（Ｅ）である。
【図６】本発明に係わるサンプルホルダの第３実施形態を説明する平面図（Ａ）、及び側面図（Ｂ）（Ｃ）である。
【図７】本発明に係わるサンプルホルダの第４実施形態を説明する側面図である。
【発明を実施するための形態】
【００１２】
〈第１実施形態〉
図１に示すサンプルホルダＡ１は、陳列フックＨに装着して用いるものである。陳列フックＨは、プライスカードを差し込む表示部５１を前端に有する上側ロッド５２と、商品Ｃを吊り下げる下側ロッド５３とを上下に備えている。なお、以下の説明では、陳列した商品群に向かって手前側を前端とし、奥側を後端とする。
【００１３】
図示例の陳列フックＨは、例えば金属製の棒材を折り曲げて形成したもので、後端側の連続部５４と、互いに平行な上下のロッド５２，５３とを連続的に有している。上側ロッド５２は、前端に、例えばプラスチック製の表示部５１が設けてある。表示部５１は、前面（正面）に、上側からプライスカードを差し込むポケット部分を有している。他方、下側ロッド５３は、前端に、商品Ｃの脱落を防止するための上向きの傾斜部５３Ａを有し、傾斜部５３Ａが、上側ロッド５２の表示部５１よりも前方に延出した位置にある。
【００１４】
上記の陳列フックＨは、下側ロッド５３の後端下部に、下方に開放された取付部材５５が固定してあり、格子Ｇの横桟Ｇ１に上側から取付部材５５を嵌合することで、格子Ｇから張り出した状態に取り付けられる。なお、この実施形態では、構造体として格子Ｇを例示したが、構造体の形態により取付部材の構成を適宜変更することができる。
【００１５】
サンプルホルダＡ１は、図２にも示すように、上側ロッド５２の表示部５１に差し込んで装着する固定具１と、固定具１に対して一端部を回動自在に連結したリンク部材２と、リンク部材２の他端部を回動自在に連結して商品サンプルＳ１（図１に示す）を保持する保持具３とを備えている。
【００１６】
固定具１、リンク部材２及び保持具３は、夫々の材料がとくに限定されるものではないが、製造コストや生産性を考慮すると、プラスチック製であることがより望ましい。また、固定具１、リンク部材２及び保持具３は、透明なプラスチック製にすれば、表示部５１に設けたプライスカードや陳列した商品群を視覚的に遮ることがなく、商品Ｃ及び商品サンプルＳ１を目立たせるためにも有効である。
【００１７】
商品サンプルＳ１は、とくに限定されるものでなく、例えば、化粧品や洗剤類の香料を収容した香りサンプルや、試供品などであり、若しくは商品そのものであっても良い。
【００１８】
固定具１は、図３（Ａ）及び（Ｂ）に示すように、矩形の板材から成る本体部１Ａと、本体部１Ａの長辺の両端部から互いに平行に突出した一対の軸受部１Ｂ，１Ｂとを有している。
【００１９】
リンク部材２は、矩形の透明な板材から成る本体部２Ａと、本体部２Ａの対向する２辺に配置した軸部２Ｂ，２Ｃを有している。軸部２Ｂ，２Ｃは、本体部２Ａの辺に沿って配置してあり、夫々の両端部が突出するように形成してある。
【００２０】
保持具３は、上方に開放された直方体状の本体部３Ａと、本体部３Ａの背面における上部両側から互いに平行に突出した一対の軸受部３Ｂ，３Ｂとを有している。この保持具３の側面には、商品の宣伝広告等の表示物を設けることができる。
【００２１】
固定具１とリンク部材２は、固定具１の軸受部１Ｂ，１Ｂと、リンク部材２における一端部の軸部２Ｂの両端とを嵌合して、互いに回動自在に連結してある。この際、固定具１及びリンク部材２は、図２（Ａ）に示すように、軸受部１Ｂと軸部２Ｂとで互いの回動軸Ｘ１を決定する。
【００２２】
リンク部材２と保持具３は、リンク部材２における他端部の軸部２Ｃの両端と、保持具３の軸受部３Ｂ，３Ｂとを嵌合して、互いに回動自在に連結してある。この際、リンク部材２及び保持具３は、図２（Ａ）に示すように、軸部２Ｃと軸受部３Ｂとで互いの回動軸Ｘ２を決定する。
【００２３】
このようにして、サンプルホルダＡ１は、固定具１と、リンク部材２と、保持具３とを備え、固定具１に対するリンク部材２の回動軸Ｘ１と、リンク部材２に対する保持具３の回動軸Ｘ２とが互いに平行である。また、サンプルホルダＡ１は、後記するように、陳列フックＨに装着した状態において、両回動軸Ｘ１，Ｘ２が、陳列フックＨの左右方向に沿って水平になる。
【００２４】
上記構成を備えたサンプルホルダＡ１は、陳列フックＨの上側ロッド５２における表示部５１に対し、プライスカードの邪魔にならないように固定具１を差し込み、リンク部材２を介して保持具３を吊り下げた状態にする。この際、固定具１は、表示部５１のポケット部分に対して、上側から本体部１Ａを差し込むのであるが、プライスカードを遮らないように、その背面側に差し込むことが可能である。
【００２５】
上記のサンプルホルダＡ１は、上記の如く、表示部５１に固定具１を装着するだけで取付完了となり、図１に示すように、下側ロッド５３の前端に保持具３の背面が当接する。そして、サンプルホルダＡ１は、保持具３に商品サンプルＳ１を収容する。
【００２６】
上記のサンプルホルダＡ１は、固定具１に対するリンク部材２の回動軸Ｘ１と、リンク部材２に対する保持具３の回動軸Ｘ２とが互いに平行で且つ水平である。これにより、サンプルホルダＡ１は、リンク部材２及び保持具３の回動方向が同一方向であり、これらが捩れることもなく、保持具３により商品サンプルＳ１を安定して保持することができる。
【００２７】
また、上記のサンプルホルダＡ１は、図４に示すように、陳列フックＨから商品Ｃを取り外したり、陳列フックＨに商品Ｃを補充したりする際に、保持具３から商品サンプルＳ１が脱落しないように、保持具３をほぼ水平にして昇降させることが可能である。このようにして、サンプルホルダＡ１は、陳列フックＨにおいて、商品サンプルＳ１を安定して保持することができる。なお、サンプルホルダＡ１は、下側ロッド５３に吊り下げた商品Ｃを取り外す際には、保持具３が回動して逃げるので、商品Ｃの取り外しの妨げになることはない。
【００２８】
さらに、上記のサンプルホルダＡ１は、上側ロッド５２の表示部５１に固定具１を装着した状態において、下側ロッド５３の前端に保持具３の背面が当接しているので、保持部３をより安定させることができ、購買者による商品サンプルＳ１の取り扱いも容易に行うことができる。
【００２９】
さらに、上記のサンプルホルダＡ１は、リンク部材２が透明な板材であるから、陳列フックＨの表示部５１に設けたプライスカードや下側ロッド５３の商品群を視覚的に遮ることがなく、しかも、充分な強度を確保して耐久性を高めることができる。
【００３０】
図５〜図７は、本発明に係わるサンプルホルダの第２〜第４の実施形態を説明する図である。なお、以下の各実施形態において、第１実施形態と同様の構成部位は、同一符号を付して詳細な説明を省略する。
【００３１】
〈第２実施形態〉
図５は、本発明に係わる第２実施形態の固定具を説明する図である。図示の固定具１１は、第１固定部材２１と第２固定部材２２とを組み合わせた構造である。
【００３２】
第１固定部材２１は、プラスチック製のペーパークリップのようなもので、図５（Ａ）〜（Ｃ）に示すように、一対の軸受部２１Ａ，２１Ａと、一方の挟持片２１Ｂと、一方の挟持片２１Ｂの両側に配置した一対の他方の挟持片２１Ｃ，２１Ｃとを有している。
【００３３】
一方の挟持片２１Ｂと他方の挟持片２１Ｃは、軸受部２１Ａ側で一体化され、とくに図５（Ｂ）及び（Ｃ）に示すように、互いにずれた位置にある。また、一方の挟持片２１Ｂは、他方の挟持片２１Ｂ側の面に、係合凸部２１Ｄを有している。他方の挟持片２１Ｃ，２１Ｃは、一方の挟持片２１Ｂ側に、係合凸部２１Ｅ，２１Ｅを有している。
【００３４】
第２固定部材２２は、透明なプラスチック製の矩形状のシートであり、図５（Ｄ）に示すように、その一辺に沿って、第１固定部材２１の３個の係合凸部２１Ｄ，２１Ｅ，２１Ｅに対応する３つの係合穴２２Ａを有している。
【００３５】
上記構成を備えた固定具１１は、第１固定部材２１の一方の挟持片２１Ｂと一対の他方の挟持片２１Ｃ，２１Ｃとの間に第２固定部材２２を差し込み、第１固定部材２１の係合凸部２１Ｄ，２１Ｅ，２１Ｅと、第２固定部材２２の係合穴２１Ａとを係合させることにより、組み立てが完了する。そして、上記の固定具１１は、第１固定部材２１の軸受部２１Ａ，２１Ａに、第１実施形態（図１〜図４参照）で説明したリンク部材（２）の軸部（２Ｂ）を嵌合することにより、サンプルホルダ（Ａ１）を構成する。
【００３６】
上記の固定具１１を備えたサンプルホルダは、陳列フック（Ｈ）において、表示部（５１）のポケット部分に、その上側から固定具１１の第２固定部材２２を差し込むことにより装着される。この際、固定具１１は、主に、第１固定部材２１が構造上の強度を担う一方で、シート状の第２固定部材２２により、表示部（５１）に差し込む部分の面積を大きく確保することができ、両部材２１，２２の機能が相俟って、表示部（５１）に対する充分な取付強度を得ることができる。
【００３７】
なお、上記実施形態のように、第１固定部材２１と第２固定部材２２とで構成する固定具１２を採用する場合、例えば、第１実施形態で説明した固定具（１）を第１固定部材とし、この第１固定部材とシート状の第２固定部材２２とを接着剤や両面粘着テープ等で貼り合わせて、これを固定具としても良い。
【００３８】
〈第３実施形態〉
図６に示すサンプルホルダＡ２は、固定具１、リンク部材１２及び保持具３を備えていると共に、リンク部材１２が、少なくとも１本の棒材から成るものとしている。図示例のリンク部材１２は、棒材である針金を折り曲げて形成したものである。
【００３９】
リンク部材１２は、一辺が開放された矩形の枠状を成しており、開放部分の両端部（針金の両端部）を固定具１に対する軸部１２Ａ，１２Ａとし、開放された辺に対向する辺の部分を保持具３に対する軸部１２Ｂとしている。なお、この実施形態の固定具１及び保持具３は、上記リンク部材１２を連結する都合上、一対の軸受部１Ｂ，１Ｂ，３Ｂ，３Ｂが、リンク部材１２の材料である針金の直径に相当する分だけ中央寄りに配置してある。
【００４０】
上記のサンプルホルダＡ２は、先の実施形態と同様に、陳列フックＨにおいて、商品サンプルＳ１を安定して保持することができる。そして、サンプルホルダＡ２は、少なくとも１本の棒材から成るリンク部材１２，とくに、棒材を枠状に形成したリンク部材１２を採用したことから、上側ロッド５２の表示部（プライスカード）５１や下側ロッド５３に吊り下げた商品Ｃに対する視認性をより一層高めることができる。
【００４１】
なお、上記実施形態のように、少なくとも１本の棒材から成るリンク部材を採用する場合、リンク部材は、例えば、固定具と保持具との間に掛け渡される複数の棒材から成るものや、１本の棒材をジグザク等の適宜形状に折り曲げ成形したものでも良い。
【００４２】
〈第４実施形態〉
図７に示すサンプルホルダＡ３は、先の各実施形態では箱形の保持具（３）を採用したのに対して、ボード状の保持具１３を採用している。図示例の保持具１３は、例えば透明なプラスチック製であって、適宜形状の板材から成る本体部１３Ａと、本体部１３Ａの背面上部から突出する軸受部１３Ｂと、本体部１３Ａの正面において上下に開放した保持環１３Ｃとを有している。また、図示例の商品サンプルＳ２は、歯ブラシであり、柄の部分を保持環１３Ｃに通して保持される。
【００４３】
上記のサンプルホルダＡ３は、先の実施形態と同様に、陳列フックＨにおいて、商品サンプルＳ１を安定して保持することができる。また、本発明に係わるサンプルホルダは、第１及び第３の実施形態で箱形の保持具３を例示し、本実施形態でボード状の保持具１３と商品サンプルＳ２を例示したように、商品サンプルの形態等に応じて様々な構造の保持具を採用することが可能である。
【００４４】
本発明に係わるサンプルホルダは、その構成が上記各実施形態のみに限定されるものではなく、本発明の要旨を逸脱しない範囲で構成を適宜変更することが可能であり、上記各実施形態で説明した構成を組み合わせることもできる。
【符号の説明】
【００４５】
１，１１  固定具
２，１２  リンク部材
３，１３  保持具
５１  表示部
５２  上側ロッド
５３  下側ロッド
Ａ１〜Ａ３  サンプルホルダ
Ｃ  商品
Ｈ  陳列フック
Ｓ１，Ｓ２  商品サンプル
Ｘ１  固定具に対するリンク部材の回動軸
Ｘ２  リンク部材に対する保持具の回動軸
【図１】
2020058595.tif 000003
【図２】
2020058595.tif 000004
【図３】
2020058595.tif 000005
【図４】
2020058595.tif 000006
【図５】
2020058595.tif 000007
【図６】
2020058595.tif 000008
【図７】
2020058595.tif 000009